(57)【要約】【課題】ユーザが指定した任意の位置，大きさ，形状の表示希望領域に，ユーザの操作やユーザ情報によって決まるコンテンツを表示できるようにする。【解決手段】画面表示装置１のタッチパネル１１に入力されたユーザが表示したい位置情報と領域情報とを入力操作測定部１２が測定し，測定された領域の形状を描画形状判定部１３が判定し，測定された領域の範囲を描画範囲判定部１４が計測する。領域の範囲の計測結果に基づいて表示サイズ決定部１５が表示領域のサイズを決定し，判定された領域の形状に基づいて表示内容決定部１６が表示内容を決定し，表示サイズ変換部１７が決定された表示領域サイズで表示内容を表示部１８に表示する。【選択図】    図２
2004272835.tif 000002
【特許請求の範囲】
【請求項１】
ディスプレイ上の指定された領域に表示内容を表示する画面表示方法であって，
ユーザが指定したディスプレイ上の位置，大きさ，形状を含む表示希望領域を検出する表示希望領域検出ステップと，
前記検出された表示希望領域の形状に基づいて表示内容を決定する表示内容決定ステップと，
前記検出された表示希望領域の大きさに応じて前記決定された表示内容を前記表示希望領域に表示する表示ステップとを有する
ことを特徴とする画面表示方法。
【請求項２】
ディスプレイ上の指定された領域に表示内容を表示する画面表示方法であって，
ユーザが指定したディスプレイ上の位置，大きさ，形状を含む表示希望領域を検出する表示希望領域検出ステップと，
ユーザの操作によって入力された所定の文字，記号または図形の形状情報に基づいて表示内容を決定する表示内容決定ステップと，
前記検出された表示希望領域の大きさに応じて前記決定された表示内容を前記表示希望領域に表示する表示ステップとを有する
ことを特徴とする画面表示方法。
【請求項３】
ディスプレイ上の指定された領域に表示内容を表示する画面表示方法であって，
ユーザが指定したディスプレイ上の位置，大きさ，形状を含む表示希望領域を検出する表示希望領域検出ステップと，
前記ユーザを認証するユーザ認証ステップと，
前記検出された表示希望領域の形状またはユーザの操作によって入力された所定の文字，記号もしくは図形の形状情報のいずれかと，前記認証されたユーザ情報とに基づいて表示内容を決定する表示内容決定ステップと，
前記検出された表示希望領域の大きさに応じて前記決定された表示内容を前記表示希望領域に表示する表示ステップとを有する
ことを特徴とする画面表示方法。
【請求項４】
請求項１から請求項３までのいずれか１項に記載の画面表示方法において，
前記表示内容が画面表示された表示希望領域を変更するユーザの操作を検出する表示領域変更検出ステップを有し，
前記表示ステップは，前記変更後の領域の大きさに基づいて決定されたサイズで前記変更後の表示希望領域に前記表示内容を表示する
ことを特徴とする画面表示方法。
【請求項５】
請求項１から請求項４までのいずれか１項に記載の画面表示方法において，
前記表示内容の画面表示の終了を表す動作を検出し，画面表示を終了する表示終了検出ステップを有する
ことを特徴とする画面表示方法。
【請求項６】
ディスプレイ上の指定された領域に表示内容を表示する画面表示装置であって，
ユーザが指定したディスプレイ上の位置，大きさ，形状を含む表示希望領域を検出する表示希望領域検出手段と，
前記検出された表示希望領域の形状に基づいて表示内容を決定する表示内容決定手段と，
前記検出された表示希望領域の大きさに応じて前記決定された表示内容を前記表示希望領域に表示する表示手段とを備える
ことを特徴とする画面表示装置。
【請求項７】
ディスプレイ上の指定された領域に表示内容を表示する画面表示装置であって，
ユーザが指定したディスプレイ上の位置，大きさ，形状を含む表示希望領域を検出する表示希望領域検出手段と，
ユーザの操作によって入力された所定の文字，記号または図形の形状情報に基づいて表示内容を決定する表示内容決定手段と，
前記検出された表示希望領域の大きさに応じて前記決定された表示内容を前記表示希望領域に表示する表示手段とを備える
ことを特徴とする画面表示装置。
【請求項８】
ディスプレイ上の指定された領域に表示内容を表示する画面表示装置であって，
ユーザが指定したディスプレイ上の位置，大きさ，形状を含む表示希望領域を検出する表示希望領域検出手段と，
前記ユーザを認証するユーザ認証手段と，
前記検出された表示希望領域の形状またはユーザの操作によって入力された所定の文字，記号もしくは図形の形状情報のいずれかと，前記認証されたユーザ情報とに基づいて表示内容を決定する表示内容決定手段と，
前記検出された表示希望領域の大きさに応じて前記決定された表示内容を前記表示希望領域に表示する表示手段とを備える
ことを特徴とする画面表示装置。
【請求項９】
請求項１から請求項５までのいずれか１項に記載の画面表示方法をコンピュータに実行させるための画面表示プログラム。
【請求項１０】
請求項１から請求項５までのいずれか１項に記載の画面表示方法をコンピュータに実行させるための画面表示プログラムを記録した記録媒体。
【発明の詳細な説明】
【０００１】
【発明の属する技術分野】
本発明は，テレビやコンピュータの画面出力をモニタへ表示再生するための画面表示技術に関し，特に街頭などでの表示操作可能なディスプレイにおいて，ユーザが任意に指定した表示位置および表示領域で表示内容を表示することができる画面表示方法および画面表示装置に関するものである。
【０００２】
【従来の技術】
画面の位置やサイズの変更は，表示された画面をユーザのマウス操作やサイズ設定入力により行うのが一般的である。また，表示する内容を決める方法としては，テレビのように何かの番粗が表示された後にチャンネルを切り替える方法や，パーソナルコンピュータのファイルのようにいくつかのアプリケーション対応のコンテンツがある場合に，ユーザがファイルを選択する方法がある。後者の場合，ユーザが選択したファイルに対して予め関連付けられたソフトウェアが起動し，そのファイルを表示・再生する。
【０００３】
また，下記の特許文献１には，画面のサイズに合わせて表示する内容のサイズを変換する方法が記載されており，指定した住所地域の地図を表示する際に，その住所全体を含む地図を画面上に最も拡大して表示するという発明が開示されている。
【０００４】
【特許文献１】
特開平４−１０１２７３号公報
【０００５】
【発明が解決しようとする課題】
ユーザが，街頭などで，他に見られたくないプライベートな情報をその場で見たくても，ディスプレイが公衆スペースに設置されている場合，画面の表示領域が大きいと他人に見られてしまうという不安がある。またこれとは逆に，ユーザが，自分の情報をできるだけ大きな画面で周囲の人に見せたいという宣伝意欲を持つ場合もある。
【０００６】
しかし，現状では，表示しようとする画面は一意に固定されたサイズで表示されてしまう。このような表示において，一旦標準のサイズで表示された後にサイズを変更することもできるが，一旦表示されてしまうことへの不安は払拭されていない。
【０００７】
また，上記特許文献１には，表示される情報すなわち地図のサイズを自動的に画面内で最大化して表示する方法が示されているが，画面の領域を指定あるいは変更する方法については記載がない。また表示する内容は，地図に限定されており，他の内容を表示する際の手段については説明がない。
【０００８】
本発明は，上記従来技術の問題点を解決し，街頭など公共の場所において，プライベートな情報を表示する際の表示位置や表示領域のサイズ，表示内容をユーザが容易に指定することができる画面表示方法および画面表示装置を提供することを目的とする。
【０００９】
【課題を解決するための手段】
本発明は，ユーザが表示したいと思う場所に，矩形や丸を指やペンなどで描くことで表示位置とサイズ，形状を指定することができる手段を設け，ユーザが指定したディスプレイ上の位置，大きさ，形状を含む表示希望領域を検出し，検出した表示希望領域の形状またはユーザ情報等に基づいて表示内容を決定し，検出した表示希望領域の大きさに基づいて表示内容のサイズを決定し，決定されたサイズでユーザの表示希望領域に決定された表示内容を画面表示する。このように，ディスプレイ全体の表示可能領域に対して，表示希望領域（位置，大きさ，形状）をユーザが指定することができるようにし，表示希望領域に限定して，表示領域の形状やユーザ情報に基づいて決定されたコンテンツを表示することを特徴とする。
【００１０】
本発明では，表示内容が表示される前にユーザが表示内容と表示内容のサイズを指定するため，思わぬ位置やサイズで表示されることが防げる。このためユーザの不安を解消すること，もしくは宣伝意欲を満たすことが可能になる。
【００１１】
【発明の実施の形態】
以下に，図を用いて，本発明の実施の形態を説明する。まず，本発明の概略を説明する。
【００１２】
図１は，操作パネルの実施例を示す図である。まず，図１（Ａ）に示すように，タッチパネル上でユーザが表示したい位置と領域を指でなぞって描画すると，タッチパネルのセンサによりその範囲を検出する。矩形表示パネルは，図１（Ｂ）に示すように，上記で検出した範囲の外側を塗りつぶし内側を透過するように描画した矩形を，ユーザが指でなぞった位置と同じ位置に描画する。そして，矩形の上下方向および左右方向の最大値を計測し，その表示サイズで，表示すべき内容を図１（Ｃ）に示すように情報表示パネルに表示する。情報表示パネルの上に矩形表示パネルが重ね合わされて，実際に見える表示部分は，図１（Ｄ）に示す部分になる。なお，タッチパネルは透過であると仮定する。
【００１３】
ここで，矩形表示パネルと情報表示パネルとは異なる表示デバイスでもよいが，これらのパネルの機能がソフトウェア上で処理されて実現されるものでもよく，同一の物理的な表示装置に表示されるものでもよい。
【００１４】
図２は，本発明の第１の実施の形態における画面表示装置の構成の一例を示す図である。１は画面表示装置，１１は表示したい位置情報と領域情報とを入力するためのタッチパネル，１２は入力された位置情報と領域情報とを測定する入力操作測定部，１３は測定された領域の形状を判定する描画形状判定部，１４は測定された領域の範囲を計測する描画範囲判定部である。
【００１５】
また，１５は描画範囲判定部１４による計測結果に基づいて表示領域のサイズを決定する表示サイズ決定部，１６は描画形状判定部１３により判定された領域の形状に基づいて表示内容を決定する表示内容決定部，１７は決定された表示内容を決定された表示領域サイズに変換する表示サイズ変換部，１８は表示内容が表示される表示部，１９は領域の形状に対応付けられた表示内容を決定するためのデータが記録されている表示データベース（ＤＢ）である。
【００１６】
図３は，表示データベース１９の構成の一例を示す図である。図３に示すように，表示データベース１９には，表示内容を決定するためのデータが領域の形状と対応づけられて記録されており，例えば，領域の形状が「丸」に対応する表示内容として「Ｗｅｂページ」が，「矩形」に対応する表示内容として「テレビ」が記録されている。表示内容は，所定の静止画や動画像などのファイルでもよい。
【００１７】
図４は，本発明の第１の実施の形態における画面表示処理フローチャートである。まず，タッチパネル１１上でユーザが描画した位置と領域を入力操作測定部１２により測定する（ステップＳ１）。その測定された領域の形状を描画形状判定部１３により判定する（ステップＳ２）。判定する形状は，表示データベース１９において表示内容との対応付けに用いられているものの区別がつけばよく，例えば，四角や三角，丸などの大まかなものでもよい。
【００１８】
この判定結果に基づいて，表示内容決定部１６が，表示データベース１９を用いて，判定された領域の形状に対応する表示内容を決定する（ステップＳ３）。例えば，図５のようにユーザが丸を描画したとすると，ＷＷＷブラウザによってＷｅｂページにアクセスできたり，図６のように矩形を描画すると，テレビを見られたりする。ここでは，丸を描きＷＷＷブラウザによってＷｅｂページにアクセスする場合の例を説明する。
【００１９】
一方，描画範囲判定部１４は，入力操作測定部１２で測定された領域から上下方向および左右方向の最大値を計測する（ステップＳ４）。この作業は，一般的な電子情報の表示形態が四角形で表示されているための手段であり，表示内容の形状が四角形でない場合にはこれに類する処理が必要となる。
【００２０】
次に，表示サイズ決定部１５は，この上下左右方向の最大値をそれぞれ各辺の長さとする四角に収まる表示領域のサイズを決定し（ステップＳ５），表示サイズ変換部１７が，その表示領域サイズでステップＳ３で決定された表示内容を表示部１８に表示し（ステップＳ６），処理を終了する。これにより，例えば特定のＷｅｂページが図７のように表示されることになる。
【００２１】
図７において，点線で示す矩形の部分が，図４のステップＳ５において決定された表示領域のサイズに相当するウインドウであり，ａ点がウインドウの上端かつ左端，ｂ点がウインドウの下端かつ右端である。このウインドウ内において，実線で囲まれたユーザが指定した表示希望領域内だけが表示され，表示希望領域の外にある表示内容は隠れて見えないようになる。
【００２２】
このように，上記の描画範囲判定では，図４のステップＳ４で領域の上下方向および左右方向の最大値を計測したため，図７に示すようにＷＷＷブラウザによるＷｅｂページの表示が隠れてしまう部分があったが，例えば描画範囲判定部１４で上下左右の最小値を計測することにより，図８のようにＷｅｂページの全体が表示希望領域内で表示されるように，本発明を実施することも可能である。
【００２３】
以上の本発明の第１の実施の形態を用いることにより，ユーザが予め指定した位置に指定した領域で表示内容を画面表示することができる。また，本実施の形態のように，描画形状判定部１３により判定した領域の形状に基づいて，表示内容決定部１６が表示内容の選択を行うことにより，表示内容を選択する手順の簡略化を図ることができる。
【００２４】
ここで，判定した領域の形状に基づいて表示内容を選択するのではなく，ユーザの操作情報として，例えばＷｅｂページであれば「Ｗ」，テレビであれば「Ｔ」などの所定の文字，簡易図形，記号を入力することにより表示内容を選択する実施も可能である。
【００２５】
図９は，本発明の第２の実施の形態における画面表示装置の構成の一例を示す図である。図９に示す画面表示装置２は，図２に示す画面表示装置１の構成要素に加えて，ユーザ認証を行ってユーザが画面表示を利用できるか否かを判定するユーザ認証部２１およびユーザに対応づけられた表示内容（表示内容対応データ）が記録されているユーザデータベース（ＤＢ）２２を備える。
【００２６】
図１０は，ユーザデータベース２２の構成の一例を示す図である。ユーザデータベース２２には，図１０に示すように，ユーザ名（ユーザＩＤ）と表示内容対応データが記録されている。図１０においては，例えばユーザ名「Ａ」に対応する表示内容対応データは，「Ｗｅｂページ」および「テレビ」であり，ユーザ名「Ｂ」に対応する表示内容対応データは，「Ｗｅｂページ」であり，ユーザ名「Ｃ」に対応する表示内容対応データは，「テレビ」である。
【００２７】
図１０の例では，ユーザ別に表示希望領域の形状と表示内容との対応付けは行っていないが，ユーザデータベース２２内に，図３に示す表示データベース１９の内容をユーザ別に設定する構成とすることもできる。この場合，例えば領域の形状が矩形のときに，ユーザ名「Ａ」のユーザにはテレビを表示し，ユーザ名「Ｂ」のユーザには，特定のＷｅｂページを表示するというような設定も可能である。
【００２８】
図１１は，本発明の第２の実施の形態における画面表示処理フローチャートである。まず，タッチパネル１１上でユーザが描画した位置と領域を入力操作測定部１２により測定する。このとき，ユーザ認証部２１がユーザ認証を行い，このユーザが画面の表示利用が可能か否かを判定する（ステップＳ１１，Ｓ１２）。このときのユーザの認証方法として，例えば領域を描く際に接触した指の指紋認証や，接触部付近で撮影される顔映像による顔認識，あるいはユーザが携帯している非接触なタグなどを用いた認証の方法を用いることができる。
【００２９】
画面の表示利用ができないユーザの場合には，その旨のメッセージを出力し処理を終了する。画面の表示利用が可能なユーザの場合には，ステップＳ１３に進み，認証されたユーザ情報に基づき，ユーザデータベース２２から表示内容対応データを取得する（ステップＳ１３）。また，ステップＳ１１で測定された領域の形状を描画形状判定部１３により判定する（ステップＳ１４）。
【００３０】
次に，表示内容決定部１６は，ステップＳ１４において判定された領域の形状に対応する表示データベース１９中の表示内容とステップＳ１３において取得された表示内容対応データとを照らし合わせ，表示内容を決定する（ステップＳ１５）。なお，表示内容がユーザデータベース２２の表示内容対応データだけで決まる場合には，表示データベース１９を用いなくてもよい。
【００３１】
一方，描画範囲判定部１４は，入力操作測定部１２で測定された領域から上下方向および左右方向の最大値を計測する（ステップＳ１６）。表示サイズ決定部１５は，その上下左右方向の最大値をそれぞれ各辺の長さとする四角に収まる表示領域のサイズを決定し（ステップＳ１７），表示サイズ変換部１７が，決定された表示領域サイズで決定された表示内容を表示部１８に表示し（ステップＳ１８），処理を終了する。
【００３２】
以上の本発明の第２の実施の形態を用いることにより，ユーザが予め指定した位置に指定した領域で，しかもユーザが個別に設定した内容を画面表示することができる。
【００３３】
本発明の第３の実施の形態として，上記第１，第２の実施の形態により，すでに画面表示されている状況において，さらに表示領域を変更する場合の例を説明する。
【００３４】
図１２は，本発明の第３の実施の形態における画面表示装置の構成の一例を示す図である。図１２に示す画面表示装置３は，図２に示す画面表示装置１の構成要素に加えて，表示領域の変更動作および変更された領域を検出する描画範囲修正判定部３１を備える。
【００３５】
図１３は，本発明の第３の実施の形態における表示領域の変更処理フローチャートである。ユーザの操作から表示領域の変更動作を検出する（ステップＳ２１）。この表示領域の変更動作の検出は，例えばユーザがすでに表示されている領域の縁に接触した場合に，その動作を検出することにより行い，表示領域変更モードに入る。
【００３６】
次に，変更された領域を検出する（ステップＳ２２）。表示領域変更モードにおいて，変更する領域を増やすあるいは減らすなどのユーザ操作に対して，増加あるいは減少の領域を検出する。図１４に，領域を増加させる操作が行われた場合の例を示す。
【００３７】
描画範囲判定部１４が，すでに表示されている領域と増加または減少した領域分との変更後の領域全体から上下方向および左右方向の最大値を計測する（ステップＳ２３）。そして，表示サイズ決定部１５が，上下左右方向の最大値をそれぞれ各辺の長さとする四角に収まる表示領域のサイズを決定し（ステップＳ２４），表示サイズ変換部１７が，決定された表示領域サイズで決定された表示内容を表示部１８に表示し（ステップＳ２５），処理を終了する。
【００３８】
以上の本発明の第３の実施の形態を用いることにより，すでに表示された領域のサイズを変更することができる。したがって，例えば図７に示すようにＷｅｂページが隠れてしまう部分があったとしても，表示領域のサイズを増やすことにより，Ｗｅｂページの見える範囲を簡単な操作で広げることが可能となる。
【００３９】
図１５は，本発明の第４の実施の形態の概要を示す図である。本発明の第４の実施の形態では，上記第１，第２の実施の形態によりすでに画面表示されている状況において，画面表示を終了する場合の例を示す。
【００４０】
図１５に示すように，本発明の第４の実施の形態では，例えばすでに表示されている領域の縁を２回連続してクリック（ダブルクリック）するなどのユーザの動作を検出することにより，画面表示の終了を検出し，画面の表示処理を終了する。この他に，例えば表示領域における「×」の記号の入力を契機として，画面表示の終了を検出してもよい。
【００４１】
また，画面表示を終了させる方法として，例えばユーザがタッチパネルに接触してからある一定時間以上経過すると自動的に表示処理を終了するというような方法を用いてもよい。この方法を用いることにより，ユーザの操作上の負担を軽減することができる。また，以上のようないくつかの画面表示終了機能を合わせて備えることにより，ユーザがどの終了方法でも任意に選択して用いることができるようにしてもよい。
【００４２】
図１６は，本発明の第４の実施の形態における画面表示装置の構成の一例を示す図である。図１６に示す画面表示装置４は，図２に示す画面表示装置１の構成要素に加えて，画面表示の終了を検出する表示終了検出部４１を備える。
【００４３】
図１７は，本発明の第４の実施の形態における画面表示処理フローを示す図である。図１７において，ステップＳ３１〜Ｓ３６は，図４に示すステップＳ１〜Ｓ６の処理と同様である。本発明の第４の実施の形態では，ステップＳ３７において，画面表示の終了を検出したか否かを判定し（ステップＳ３７），画面表示の終了を検出した場合には処理を終了し，画面表示の終了を検出しない場合にはステップＳ３６に戻る。
【００４４】
以上の本発明の第４の実施の形態を用いることにより，ある決まった操作や，無操作が一定時間経過した場合には，表示を終了消去することが可能となる。
【００４５】
以上の第１〜第４の実施の形態に係る画面表示装置が行う処理は，コンピュータとソフトウェアプログラムとによって実現することができ，そのプログラムをコンピュータ読み取り可能な記録媒体に記録して提供することも，ネットワークを通して提供することも可能である。
【００４６】
【発明の効果】
本発明によれば，表示される位置やサイズを指定してから面面が表示されるため，プライベートで他人に見られたくない情報が思わぬ位置に表示されたり，思わぬ大きさで表示されたりするといったユーザの不安をなくすことができる。また，ユーザが積極的に見せたい場合には，大きなサイズを指定することで宣伝意欲も満たすことができるようになる。
【００４７】
さらに，領域を描く際に指紋認証や顔認識，あるいはユーザが携帯する非接触なタグを用いてユーザの認証を行うことで，利用者の制限やユーザ毎の表示カスタマイズを行うことが可能となる。画面表示の利用に対してユーザに課金する場合，ユーザの認証情報を用いて利用者に課金することもできるようになる。
【００４８】
また，ユーザが描く領域の形により，表示する内容を選択することもできる。さらに，一旦表示された後には，表示領域をさらに大きくする描画操作や小さくする描画操作により，表示サイズを随時変更することができる。
【００４９】
さらに，ある決まった操作や，無操作が一定時間経過した場合には，表示を終了消去することができる。
【図面の簡単な説明】
【図１】操作パネルの実施例を示す図である。
【図２】第１の実施の形態の画面表示装置の構成例を示す図である。
【図３】表示データベースの構成の一例を示す図である。
【図４】第１の実施の形態の画面表示処理フローチャートである。
【図５】領域の描画例を示す図である。
【図６】領域の描画例を示す図である。
【図７】Ｗｅｂページの表示例を示す図である。
【図８】Ｗｅｂページの表示例を示す図である。
【図９】第２の実施の形態の画面表示装置の構成例を示す図である。
【図１０】ユーザデータベースの構成の一例を示す図である。
【図１１】第２の実施の形態の画面表示処理フローチャートである。
【図１２】第３の実施の形態の画面表示装置の構成例を示す図である。
【図１３】第３の実施の形態の表示領域の変更処理フローチャートである。
【図１４】領域を増加させる操作が行われた場合の例を示す図である。
【図１５】本発明の第４の実施の形態の概要を示す図である。
【図１６】第４の実施の形態の画面表示装置の構成例を示す図である。
【図１７】第４の実施の形態の画面表示処理フローチャートである。
【符号の説明】
１  画面表示装置
１１  タッチパネル
１２  入力操作測定部
１３  描画形状判定部
１４  描画範囲判定部
１５  表示サイズ決定部
１６  表示内容決定部
１７  表示サイズ変換部
１８  表示部
１９  表示データベース（ＤＢ）
２１  ユーザ認証部
２２  ユーザデータベース（ＤＢ）
３１  描画範囲修正判定部
４１  表示終了検出部
【図１】
2004272835.tif 000003
【図２】
2004272835.tif 000004
【図３】
2004272835.tif 000005
【図４】
2004272835.tif 000006
【図５】
2004272835.tif 000007
【図６】
2004272835.tif 000008
【図７】
2004272835.tif 000009
【図８】
2004272835.tif 000010
【図９】
2004272835.tif 000011
【図１０】
2004272835.tif 000012
【図１１】
2004272835.tif 000013
【図１２】
2004272835.tif 000014
【図１３】
2004272835.tif 000015
【図１４】
2004272835.tif 000016
【図１５】
2004272835.tif 000017
【図１６】
2004272835.tif 000018
【図１７】
2004272835.tif 000019